(57)【要約】【課題】本発明は、画像印刷装置、画像印刷方法、画像印刷方法のプログラム及び画像印刷方法のプログラムを記録した記録媒体に関し、特にスクラップブッキングに使用する画像の印刷に適用して、定規と写真の大きさに係る不整合を簡易かつ確実に解消することができるようにする。【解決手段】本発明は、ユーザーにより選択されたテンプレートを処理対象の画像上に重ねて表示し、この表示における画像とテンプレートとの相対的な位置関係、画像及び又はテンプレートの大きさの変更を受け付けて印刷する。【選択図】        図１
2007125875.tif 000002
【特許請求の範囲】
【請求項１】
スクラップブッキングに使用する画像を印刷する画像印刷装置であって、
処理対象画像の画像データを取得する画像データ取得部と、
前記スクラップブッキングに係る画像の切り抜き形状を、該切り抜き形状の輪郭線により示すテンプレートを複数種類保持するテンプレート保持部と、
前記テンプレート保持部に保持された複数のテンプレートから少なくとも１つのテンプレートを選択するテンプレート選択部と、
前記画像データ取得部により取得された画像データによる画像上に、前記テンプレート選択部により選択されたテンプレートを配置して表示する画像表示部と、
ユーザーによる操作により、前記画像表示部で表示した前記画像と前記テンプレートとの相対的な位置を変更すると共に、前記画像表示部で表示した前記画像及び又はテンプレートの大きさを変更する操作部と、
前記操作部により変更された前記画像表示部による前記画像を印刷する印刷部とを備える
ことを特徴とする画像印刷装置。
【請求項２】
前記印刷部は、
前記画像に、前記テンプレートを重ねて印刷する
ことを特徴とする請求項１に記載の画像印刷装置。
【請求項３】
前記操作部は、
さらに前記テンプレートの色及び線幅の変更を受け付ける
ことを特徴とする請求項２に記載の画像印刷装置。
【請求項４】
前記テンプレート保持部に前記テンプレートを登録するテンプレート登録部を有する
ことを特徴とする請求項１に記載の画像印刷装置。
【請求項５】
前記印刷部は、
前記画像を印刷した後、印刷面を透明フィルムで被覆し、
前記透明フィルムの光沢を局所的に変化させて前記テンプレートを印刷する
ことを特徴とする請求項２に記載の画像印刷装置。
【請求項６】
スクラップブッキングに使用する画像を印刷する画像印刷方法であって、
処理対象画像の画像データを取得する画像データ取得ステップと、
前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、
前記画像データ取得ステップにより取得された画像データによる画像上に、前記テンプレート選択ステップにより選択されたテンプレートを配置して表示する画像表示ステップと、
ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、
前記操作ステップにより変更された前記画像表示ステップによる前記画像を印刷する印刷ステップとを有する
ことを特徴とする画像印刷方法。
【請求項７】
演算処理手段による実行により、スクラップブッキングに使用する画像を印刷する画像印刷方法のプログラムであって、
処理対象画像の画像データを取得する画像データ取得ステップと、
前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、
前記画像データ取得ステップにより取得された画像データによる画像上に、前記テンプ
レート選択ステップにより選択されたテンプレートを配置して表示する画像表示ステップと、
ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、
前記操作ステップにより変更された前記画像表示ステップによる前記画像を印刷する印刷ステップとを有する
ことを特徴とする画像印刷方法のプログラム。
【請求項８】
演算処理手段による実行により、スクラップブッキングに使用する画像を印刷する画像印刷方法のプログラムを記録した記録媒体であって、
前記画像印刷方法のプログラムは、
処理対象画像の画像データを取得する画像データ取得ステップと、
前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、
前記画像データ取得ステップにより取得された画像データによる画像上に、前記テンプレート選択ステップにより選択されたテンプレートを配置して表示する画像表示ステップと、
ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、
前記操作ステップにより変更された前記画像表示ステップによる前記画像を印刷する印刷ステップとを有する
ことを特徴とする画像印刷方法のプログラムを記録した記録媒体。
【発明の詳細な説明】
【技術分野】
【０００１】
本発明は、画像印刷装置、画像印刷方法、画像印刷方法のプログラム及び画像印刷方法のプログラムを記録した記録媒体に関し、特にスクラップブッキングに使用する画像の印刷に適用することができる。本発明は、ユーザーにより選択されたテンプレートを処理対象の画像上に重ねて表示し、この表示における画像とテンプレートとの相対位置関係の変更、画像及び又はテンプレートの大きさの変更を受け付けて印刷することにより、スクラップブッキングに適用して、定規と写真の大きさに係る不整合を簡易かつ確実に解消することができるようにする。
【背景技術】
【０００２】
近年、スクラップブックを作成するスクラップブッキングが流行している。ここでスクラップブッキングは、ペーパークラフトホビーの１つであり、所望する形状に写真を切り取り、種々に装飾を施してこの切り取った写真を台紙に張り付けてオリジナルのスクラップブックを作成するものである。
【０００３】
このため現在、このようなスクラップブッキングのユーザーに対して、スクラップブック用の各種台紙、各種装飾用のデコレーション、写真切り取り用の定規、切り取りに使用するハサミ等が種々に提供されている。これによりスクラップブッキングでは、この写真切り取り用の定規を写真に重ねて切り取り線を描いた後、この切り取り線に沿ってはさみにより写真を切り取ることにより、例えば星型、ハート型、菱形等の、定規に応じた種々の形状により簡易に写真を切り取って台紙に貼り付けることができる。
【０００４】
このような写真に係る各種処理に関して、特開２００４−１１４４６４号公報等には、ユーザーの所望するレイアウトにより、直接、アルバム用紙に画像を印刷する方法が提案されており、また特表２００３−５３２２０５号公報には、アルバムへのレイアウトに対応するように各画像のフォーマットを設定して印刷する方法が提案されている。また特開２００４−２６８３５３号公報には、ユーザーにより指示された領域を選択的に印刷する方法が提案されている。また特開平１１−３２１０１０号公報には、写真を切りそろえるためのトンボを画像と共に印刷する方法が提案されている。
【０００５】
ところでスクラップブッキングにおいて、定規を用いて写真を切り取る場合、定規に比して写真上の被写体が小さい場合もあり、またこれとは逆に定規に比して写真上の被写体が大きい場合もある。このような場合には、定規の大きさに写真の大きさを合わせたい場合もあり、またこれとは逆に、写真の大きさに定規の大きさを合わせたい場合、さらには定規及び写真の双方の大きさを変更したい場合がある。これによりこのような定規と写真の大きさに係る不整合を簡易かつ確実に解消することができれば、簡易に意図するデザインによりスクラップブックを作成することができ、一段とスクラップブッキングの楽しみを向上することができると考えられる。
【０００６】
この場合に、例えば、特開２００４−１１４４６４号公報、特表２００３−５３２２０５号公報等の手法を適用して写真を印刷する方法も考えられるが、これらの方法では、手作業により写真を切り取ってスクラップブックを作成する楽しみが損なわれることになる。また特開２００４−２６８３５３号公報、特開平１１−３２１０１０号公報の手法を適用することも考えられるが、これらに開示の手法は、スクラップブッキングに係るような複雑かつ多様な形状による写真の切り取りには、実際上、適用できない欠点がある。
【特許文献１】特開２００４−１１４４６４号公報
【特許文献２】特表２００３−５３２２０５号公報
【特許文献３】特開２００４−２６８３５３号公報
【特許文献４】特開平１１−３２１０１０号公報
【発明の開示】
【発明が解決しようとする課題】
【０００７】
本発明は以上の点を考慮してなされたもので、スクラップブッキングに適用して、定規と写真の大きさに係る不整合を簡易かつ確実に解消することができる画像印刷装置、画像印刷方法、画像印刷方法のプログラム及び画像印刷方法のプログラムを記録した記録媒体を提案しようとするものである。
【課題を解決するための手段】
【０００８】
かかる課題を解決するため請求項１の発明は、スクラップブッキングに使用する画像を印刷する画像印刷装置に適用して、処理対象画像の画像データを取得する画像データ取得部と、前記スクラップブッキングに係る画像の切り抜き形状を、該切り抜き形状の輪郭線により示すテンプレートを複数種類保持するテンプレート保持部と、前記テンプレート保持部に保持された複数のテンプレートから少なくとも１つのテンプレートを選択するテンプレート選択部と、画像データ取得部により取得された画像データによる画像上に、前記テンプレート選択部により選択されたテンプレートを配置して表示する画像表示部と、ユーザーによる操作により、前記画像表示部で表示した前記画像と前記テンプレートとの相対的な位置を変更すると共に、前記画像表示部で表示した前記画像及び又はテンプレートの大きさを変更する操作部と、前記操作部により変更された前記画像表示部による前記画像を印刷する印刷部とを備えるようにする。
【０００９】
また請求項６の発明は、スクラップブッキングに使用する画像を印刷する画像印刷方法に適用して、処理対象画像の画像データを取得する画像データ取得ステップと、前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、画像データ取得ステップにより取得された画像データによる画像上に、前記テンプレート選択ステップにより選択されたテンプレートを配置して表示する画像表示ステップと、ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、前記操作ステップにより変更された画像表示ステップによる前記画像を印刷する印刷ステップとを有するようにする。
【００１０】
また請求項７の発明は、演算処理手段による実行により、スクラップブッキングに使用する画像を印刷する画像印刷方法のプログラムに適用して、処理対象画像の画像データを取得する画像データ取得ステップと、前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、画像データ取得ステップにより取得された画像データによる画像上に、前記テンプレート選択ステップにより選択されたテンプレートを配置して表示する画像表示ステップと、ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、前記操作ステップにより変更された画像表示ステップによる前記画像を印刷する印刷ステップとを有するようにする。
【００１１】
また請求項８の発明は、演算処理手段による実行により、スクラップブッキングに使用する画像を印刷する画像印刷方法のプログラムを記録した記録媒体であって、前記画像印
刷方法のプログラムは、処理対象画像の画像データを取得する画像データ取得ステップと、前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、画像データ取得ステップにより取得された画像データによる画像上に、前記テンプレート選択ステップにより選択されたテンプレートを配置して表示する画像表示ステップと、ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、前記操作ステップにより変更された画像表示ステップによる前記画像を印刷する印刷ステップとを有するようにする。
【００１２】
請求項１の構成により、スクラップブッキングに使用する画像を印刷する画像印刷装置に適用して、処理対象画像の画像データを取得する画像データ取得部と、前記スクラップブッキングに係る画像の切り抜き形状を、該切り抜き形状の輪郭線により示すテンプレートを複数種類保持するテンプレート保持部と、前記テンプレート保持部に保持された複数のテンプレートから少なくとも１つのテンプレートを選択するテンプレート選択部と、画像データ取得部により取得された画像データによる画像上に、前記テンプレート選択部により選択されたテンプレートを配置して表示する画像表示部と、ユーザーによる操作により、前記画像表示部で表示した前記画像と前記テンプレートとの相対的な位置を変更すると共に、前記画像表示部で表示した前記画像及び又はテンプレートの大きさを変更する操作部と、前記操作部により変更された画像表示部による前記画像を印刷する印刷部とを備えるようにすれば、画像表示部による表示により定規の形状によるテンプレートと画像との関係を確認しながら、画像、テンプレートの大きさを種々に変更することができ、これによりスクラップブッキングに適用して、定規と写真の大きさに係る不整合を簡易かつ確実に解消することができる。
【００１３】
これにより請求項６、請求項７、請求項８の構成によれば、スクラップブッキングに適用して、定規と写真の大きさの不整合を簡易かつ確実に解消することができる画像印刷方法、画像印刷方法のプログラム、画像印刷方法のプログラムを記録した記録媒体を提供することができる。
【発明の効果】
【００１４】
本発明によれば、スクラップブッキングに適用して、定規と写真の大きさの不整合を簡易かつ確実に解消することができる。
【発明を実施するための最良の形態】
【００１５】
以下、適宜図面を参照しながら本発明の実施例を詳述する。
【実施例１】
【００１６】
（１）実施例の構成
図２は、本発明の実施例に係る画像印刷装置を示す斜視図である。この画像印刷装置１は、各種店舗に配置されてメモリカード等の記録媒体に記録された画像データによる画像を写真に印刷する装置である。
【００１７】
この画像印刷装置１は、全体が縦長の長方体形状により形成され、正面に、印刷結果である写真を取り出す写真取り出し口２が設けられる。またこの写真取り出し口２の上側に、メモリカード、磁気ディスク、光ディスク等の各種記録媒体を装填する記録媒体の各種挿入口３、課金処理に供するカード投入口等が設けられる。またこの種の挿入口３の上側に、タッチパネルを配置した画像表示部４が設けられ、この画像表示部４に表示された各種メニューの選択をタッチパネルにより検出してユーザーによる操作を受け付ける。また上端面には、テンプレートの登録に使用するフラットヘッドスキャナ５が配置される。
【００１８】
図３は、この画像印刷装置１の構成を示すブロック図である。この画像印刷装置１において、画像表示部４は、制御部１１の制御により、この画像印刷装置１の処理に必要な各種画像を表示し、タッチパネル１２は、ユーザーによる各種操作を検出して制御部１１に通知する。スキャナ５は、セットされた用紙の画像を取得して制御部１１に通知する。またメディアインターフェース（メディアＩ／Ｆ）１３は、記録媒体の各種挿入口３に挿入された記録媒体から画像データ等を取得して制御部１１に通知し、課金部１４は、課金に係る一連の処理を実行する。印刷部１５は、制御部１１の制御により、所定の用紙に画像を印刷することにより、印刷結果による写真を写真取り出し口２に送出する。
【００１９】
ハードディスク装置（ＨＤＤ）１６は、この画像印刷装置１の処理に係る処理プログラム、各種データ等を記録して保持する。この画像印刷装置１では、このハードディスク装置１６によるこのデータの記録により、テンプレートデータベース１６Ａが構成される。ここでテンプレートデータベース１６Ａは、スクラップブッキングに係る画像の切り抜き形状を、該切り抜き形状の輪郭線により示すテンプレートのデータベースであり、事前の登録により、さらにはスキャナ５を用いた画像読み取りによる追加登録により構築される。なおこの実施例では、正方形形状、長方形形状、円形形状、種々の方向に横長の楕円形状、各種の多角形形状、ハート型等によるテンプレートが用意されている。これに対してハードディスク装置１６に記録された処理プログラムは、この画像印刷装置１に事前にインストールされて提供されるものの、このような事前のインストールによる提供に代えて、光ディスク、メモリカード、磁気ディスク等の各種記録媒体に記録して提供するようにしてもよく、またこれに代えてインターネット等のネットワークを介したダウンロードにより提供するようにしてもよい。
【００２０】
制御部１１は、この画像印刷装置１全体の動作を制御する演算処理手段により構成され、ハードディスク装置１６に記録された処理プログラムの実行により各部の動作を制御する。この処理手順の実行により、制御部１１は、電源の立ち上げにより、さらには待機状態でユーザーによるタッチパネル１２の操作が検出されると、初期メニュー画面を画像表示部４に表示する。またこの初期メニュー画面における所定の操作により、メンテナンスモードに動作を切り換え、スキャナ５の動作を制御してテンプレートの画像を取得し、この取得したテンプレートの画像をテンプレートデータベース１６Ａに登録する。
【００２１】
これに対して初期メニュー画面において、写真印刷のメニューが選択されると、制御部１１は、図４に示す記録媒体の選択画面を画像表示部４に表示する。ここでこの記録媒体の選択画面は、最上段に、この選択画面のタイトルが表示され、続いてユーザーに操作を促すメッセージが表示される。また続いて記録媒体の各種挿入口３に挿入可能な各種記録媒体のメニューが表示され、また最下段に、操作の中止を指示する「中止」のメニュー、ヘルプ画面の表示を指示する「ヘルプ？」のメニューが表示される。
【００２２】
制御部１１は、この選択画面において、タッチパネル１２によりユーザーの選択操作を検出し、ユーザーが「中止」のメニューを選択した場合には、元の初期メニュー画面に表示を切り換える。またユーザーが「ヘルプ？」のメニューを選択した場合には、ヘルプ画面を表示する。これに対してユーザーが何れかの記録媒体のメニューを選択すると、このユーザーの選択したメニューに係る記録媒体に関して、挿入口３への挿入をユーザーに指示する一連の操作指示画面を画像表示部４に表示し、記録媒体が挿入されると、この記録媒体に記録された画像データを取得してハードディスク装置１６に保持し、画像表示部４の表示を図５に示す処理の選択画面に切り換える。
【００２３】
ここでこの処理の選択画面は、最上段に、直前の画面のタイトルに続いて、この画面に係る「出力メニュー」のタイトルが表示され、続いてユーザーに操作を促すメッセージが表示される。また続いて選択可能な各処理のメニューが表示される。ここで「全てプリント」のメニューは、挿入された記録媒体に記録された全ての画像をサービスサイズの写真により印刷するメニューであり、「バリューパッケージ」のメニューは、「全てプリント」のメニューに係る処理に加えて、記録媒体の画像データを光ディスクに記録するメニューである。また「スクラップブック」のメニューは、スクラップブックに係る処理を選択するメニューであり、「同画面／異画面合成」のメニューは、いわゆるプリントシールによる印刷を指示するメニューであり、「Ｌ」、「２Ｌ」、「八切」、「六切」のメニューは、それぞれ各サイズによる印刷を指示するメニューである。また「プリント（その他）」のメニューは、他のサイズによる印刷を指示するメニューであり、「ＣＤ作成」のメニューは、記録媒体の画像データを光ディスクに記録するメニューである。また「インデックスプリント」のメニューは、インデックスに供するいわゆるベタ焼きの印刷を指示するメニューであり、「証明写真」のメニューは、証明書用の写真の印刷を指示するメニューである。この処理の選択画面では、最下段に、操作の中止を指示する「中止」のメニュー、ヘルプ画面の表示を指示する「ヘルプ？」のメニュー、前の選択画面に戻る「戻る」のメニューが表示される。
【００２４】
制御部１１は、この選択画面に表示した各メニューの選択により、画像表示部４の表示を切り換えてユーザーによる入力を受け付け、これにより各メニューに係る一連の処理を実行する。この処理において、制御部１１は、ユーザーが「スクラップブック」のメニューを選択すると、画像表示部４の表示を切り換え、同様のレイアウトにより、「レイアウト」のメニューと、「クリエイティブボーダー」のメニューを表示する。
【００２５】
ここで「レイアウト」のメニューは、スクラップブックにおける台紙に各種写真を貼り付けた形式による印刷物を生成するメニューであり、制御部１１は、このメニューの選択により、順次画像表示部４の表示を切り換えて記録媒体に記録された画像データによる各画像のレイアウト、切り取り形状、装飾用の文字入力等を受け付ける。またこの入力を受け付けたレイアウト等により、記録媒体に記録された画像データによる画像等を処理し、その処理結果による画像を印刷部１５により印刷し、これによりユーザーの所望する形状により切り取った種々の写真を、各種の装飾と共に台紙に貼り付けた形式によりスクラップブックの印刷物を出力する。
【００２６】
これに対して「クリエイティブボーダー」のメニューは、スクラップブッキング用の写真印刷を指示するメニューであり、このメニューが選択されると、制御部１１は、画像表示部４の表示を切り換え、同様のレイアウトにより、「カットライン」、「アッドボーダー」のメニューを表示する。
【００２７】
ここで「アッドボーダー」のメニューは、所望の縁取りによる印刷を指示するメニューであり、このメニューの選択により、制御部１１は、順次画像表示部４の表示を切り換えて記録媒体に記録された画像データによる各画像に、ユーザーにより指示された縁取りを設定して印刷する。
【００２８】
これに対して「カットライン」のメニューは、スクラップブッキングにおいて、所望の形状に切り取って台紙に貼り付けることを前提とした印刷を指示するメニューであり、制御部１１は、このメニューの選択により、画像表示部４の表示を図６に示す画像選択画面の表示に切り換える。
【００２９】
ここでこの画像選択画面は、最上段に、それまでの画面のタイトルに続いて、この画面に係る「写真の選択」のタイトルが表示され、続いてユーザーに操作を促すメッセージが、初期設定による印刷のサイズ（Ｌ）、一枚当たりの料金（５００円）と共に表示される。また記録媒体に記録された各画像を選択するメニューが対応する画像のサムネイル画像により一覧表示される。またこの一覧表示の下側には、この一覧表示のページ切り換えを指示するメニューが表示される。また最下段の左側に、操作の中止を指示する「中止」のメニュー、ヘルプ画面の表示を指示する「ヘルプ？」のメニュー、前の選択画面に戻る「戻る」のメニュー、日付を追加した印刷を指示する「追加、ＤＡＴＥ」のメニューが表示される。また最下段の右側に、全画像の印刷対象への選択を指示する「全て選択」のメニュー、「全て選択」のメニューにより選択した画像の選択の変更を指示するメニュー、印刷を指示する「ＯＫ」のメニューが表示される。
【００３０】
これにより制御部１１は、この画像選択画面におけるメニューの選択により、ユーザーによる各種の設定を受け付ける。この処理において、制御部１１は、何れかのサムネイル画像によるメニューがユーザーにより選択されると、図６との対比により図７に符号Ａにより示すように、このユーザーにより選択されたサムネイル画像の縁取りを拡大してメニューを表示する。ここでこのメニューにあっては、印刷枚数の増減を指示する「−」及び「＋」のメニューが、現在設定されている印刷枚数（この図７の例では数字１により表される一枚である）と共に表示される。これにより制御部１１は、このサムネイル画像に表示した増減のメニューの操作により、さらには「全て選択」に係る印刷枚数の増減のメニューの操作により、このサムネイル画像に係る画像の印刷枚数の変更を受け付ける。
【００３１】
またさらに上段に表示した初期設定による印刷のサイズ（Ｌ）から別の印刷のサイズへの変更を指示する「別サイズ」のメニューが表示され、制御部１１は、この「別サイズ」のメニューの選択により、印刷サイズのサブメニューを表示し、このサブメニューの選択により印刷サイズの設定を受け付け、さらにはこの印刷サイズによる印刷枚数の設定を受け付ける。
【００３２】
またさらにこのサムネイル画像に係る拡大表示及び編集処理を指示する「編集／拡大」のメニューを表示し、このメニューの選択により、制御部１１は、後述する編集処理を開始する。またこの編集処理の完了により、さらには他のサムネイル画像の選択により、制御部１１は、符号Ｂ１及びＢ２により示すように、サムネイル画像の縁取りを拡大表示した状態で、設定された事項を表示する。しかして符号Ｂ１により示すサムネイル画像に係る画像は、印刷サイズＬによる一枚の印刷が指示され、さらに符号Ｂ１Ａにより示すマークにより編集処理が実行されて切り取り線の印刷が指示されていることが示されている。また符号Ｂ２により示すサムネイル画像に係る画像は、「追加、ＤＡＴＥ」のメニューの操作に係る日付を設定した印刷が、印刷サイズＬ、２Ｌ、八切により各１枚づつ指示されていることが示されている。
【００３３】
図８は、「編集／拡大」のメニューの選択による画像表示部４の表示を示す平面図である。制御部１１は、「編集／拡大」のメニューの選択により、画像表示部４の表示をこの図８に示す拡大表示画面に切り換える。ここでこの拡大表示画面は、最上段に、それまでの画面のタイトルに続いて、この画面に係る「写真の編集」のタイトルが表示され、続いてユーザーに操作を促すメッセージが表示される。続いてプレビュー画面の領域ＡＲが表示され、最下段に、操作の中止を指示する「中止」のメニュー、ヘルプ画面の表示を指示する「ヘルプ？」のメニューが表示される。
【００３４】
プレビュー画面の領域ＡＲは、最上段に、記録媒体に記録された対応する画像データのファイル名（Birthday040304）が、印刷サイズ（Ｌ）、印刷枚数（１）と共に表示される。また最下段に、プレビュー画像に重ねて表示したテンプレートの印刷時における縦方向（Ｈ）及び横方向（Ｗ）の大きさが、単位を切り換えるメニューと共に表示され、さらにこの拡大表示画面における一連の操作をキャンセルする「キャンセル」のメニュー、処理の完了を指示する「ＯＫ」のメニューが表示される。
【００３５】
プレビュー画面の領域ＡＲは、これらの表示の間の領域の左半分に、ユーザーにより選択されたサムネイル画像のプレビュー画像が表示される。ここでこのプレビュー画像は、テンプレートデータベース１６Ａに記録された複数のテンプレートのうちの１つが、ディフォルトの大きさ、色彩、太さにより重ねて表示され、これによりこの図８の例では、横長の楕円形状によるテンプレートが表示されている。なお以下においては、適宜、テンプレートをＴＰにより示す。
【００３６】
プレビュー画面の領域ＡＲは、残る右半分の領域に、プレビュー画面に表示したテンプレートを操作する各種メニューが表示される。ここでこのテンプレートを操作する各種メニューは、最上段に、現在表示しているテンプレートの形状、色彩を示す表示が中央に表示されて、このテンプレートの変更を指示するメニューが左右に表示される。なおこの中央の表示において、テンプレートの色彩は、テンプレートの形状により囲まれた内側の部分の色彩により表される。これにより制御部１１は、図８との対比により図９に示すように、このテンプレートの変更を指示するメニューのユーザーによる選択操作に応動して、テンプレートデータベース１６Ａに記録されたテンプレートを順次選択し、プレビュー画像におけるテンプレートの表示をこの選択したテンプレートに切り換える。
【００３７】
テンプレートを操作する各種メニューは、続く領域の右側に、プレビュー画像に表示したテンプレートの太さを増減するメニューが表示される。これにより制御部１１は、図９との対比により図１０に示すように、このテンプレートの太さを増減するメニューのユーザーによる選択操作に応動して、プレビュー画像に重ねて表示したテンプレートの太さを可変する。
【００３８】
またテンプレートを操作する各種メニューは、このテンプレートの太さを増減するメニューの左側に、テンプレートの色彩を指示するメニューが、指示に係る色彩を設定したボタンにより表示される。なおここで「自動」のメニューは、プレビューに係る画像上で目立たない色彩に、自動的に設定するテンプレートの色彩を設定するメニューであり、このメニューが選択された場合、制御部１１は、テンプレートと重なり合うプレビュー画像の各部画素値を強調、又は抑圧することにより、テンプレートの色彩を目立たない色彩に設定する。この実施例では、具体的に、テンプレートと重なり合うプレビュー画像の各画素値をＲＧＢ値により各部で検出し、この検出したＲＧＢ値を一定値だけ増大させることにより画素値を強調してテンプレートの色彩が設定される。制御部１１は、これらのメニューのユーザーによる選択操作により、図１０との対比により図１１に示すように、プレビュー画像に重ねて表示したテンプレートの色彩を変更する。
【００３９】
またテンプレートを操作する各種メニューは、続いて右側に、プレビュー画像に重ねて表示したテンプレートの大きさを可変するメニューが表示される。制御部１１は、このメニューの選択操作により、図９との対比により図１２に示すように、プレビュー画像に重ねて表示したテンプレートの大きさを変更する。
【００４０】
またテンプレートを操作する各種メニューは、このテンプレートの大きさの変更に係るメニューの左側に、テンプレートの位置を上下左右に変更するメニューが表示される。制御部１１は、このメニューの選択操作により、図１２との対比により図１３に示すように、プレビュー画像に重ねて表示したテンプレートの位置を変更する。
【００４１】
これにより制御部１１は、この写真の編集に係る画面を表示した状態で、図１に示す処理手順を実行する。すなわち制御部１１は、この写真の編集に係る画面を表示すると、ステップＳＰ１からステップＳＰ２に移り、テンプレートの変更が指示されたか否か判断する。ここで肯定結果が得られると、制御部１１は、ステップＳＰ２からステップＳＰ３に移り、ユーザーによる指示に応じてプレビュー画像に重ねて表示したテンプレートを変更した後、ステップＳＰ４に移る。これに対してステップＳＰ２で否定結果が得られると、直接ステップＳＰ２からステップＳＰ４に移る。
【００４２】
このステップＳＰ４において、制御部１１は、ユーザーによりテンプレートの位置の変更が指示されたか否か判断する。ここで肯定結果が得られると、制御部１１は、ステップＳＰ４からステップＳＰ５に移り、ユーザーによる指示に応じてプレビュー画像に重ねて表示したテンプレートの位置を変更した後、ステップＳＰ６に移る。これに対してステップＳＰ４で否定結果が得られると、直接ステップＳＰ４からステップＳＰ６に移る。
【００４３】
このステップＳＰ６において、制御部１１は、ユーザーによりテンプレートの大きさの変更が指示されたか否か判断する。ここで肯定結果が得られると、制御部１１は、ステップＳＰ６からステップＳＰ７に移り、ユーザーによる指示に応じてプレビュー画像に重ねて表示したテンプレートの大きさを変更した後、ステップＳＰ８に移る。これに対してステップＳＰ６で否定結果が得られると、直接ステップＳＰ６からステップＳＰ８に移る。
【００４４】
また続くステップＳＰ８において、制御部１１は、ユーザーによりテンプレートの色の変更が指示されたか否か判断する。ここで肯定結果が得られると、制御部１１は、ステップＳＰ８からステップＳＰ９に移り、ユーザーによる指示に応じてプレビュー画像に重ねて表示したテンプレートの色彩を変更した後、ステップＳＰ１０に移る。これに対してステップＳＰ８で否定結果が得られると、直接ステップＳＰ８からステップＳＰ１０に移る。
【００４５】
また続くステップＳＰ１０において、制御部１１は、ユーザーによりテンプレートの太さの変更が指示されたか否か判断する。ここで肯定結果が得られると、制御部１１は、ステップＳＰ１０からステップＳＰ１１に移り、ユーザーによる指示に応じてプレビュー画像に重ねて表示したテンプレートの太さを変更した後、ステップＳＰ１２に移る。これに対してステップＳＰ１０で否定結果が得られると、直接ステップＳＰ１０からステップＳＰ１２に移る。
【００４６】
また続くステップＳＰ１２において、制御部１１は、ユーザーにより処理の終了が指示されたか否か判断する。ここで否定結果が得られると、制御部１１は、ステップＳＰ１２からステップＳＰ２に戻り、さらにユーザーによる操作を受け付ける。これに対してステップＳＰ１２で肯定結果が得られると、直接ステップＳＰ１２からステップＳＰ１３に移ってこの処理手順を終了する。
【００４７】
制御部１１は、ユーザーが選択したサムネイル画像によるメニュー毎に、このようにしてプレビュー画面を表示してテンプレートに係る各種の設定を受け付け、図７に示す表示画面において、ユーザーが「ＯＫ」のメニューを選択すると、図１４に示す確認画面を表示する。ここでこの図１４に示す例では、各印刷サイズの枚数、金額が表示され、さらにユーザー認証に係るパスワードに入力画面が表示され、この表示画面に係る一連の処理の完了により制御部１１は、課金部１４の動作を制御して領域に係る一連の処理を実行する。またこの料金に係る一連の処理を正しく終了すると、ユーザーにより指示された画像を印刷する。このとき制御部１１は、図１の処理手順の実行により設定された画像表示部４における画像及びテンプレートに対応するように画像上にテンプレートを配置して写真を印刷する。また印刷の完了により、待機状態に戻る。
【００４８】
（２）実施例の動作
以上の構成において、この画像印刷装置１では（図２及び図３）、画像表示部４に表示したメニューのユーザーによる選択操作に応動して、メモリカード等の記録媒体に記録された画像データによる画像が印刷部１５により印刷されてユーザーに提供される。
【００４９】
この一連の処理において、ユーザーが順次メニューを選択してスクラップブッキングに係るメニューを選択すると（図４及び図５）、画像印刷装置１では、記録媒体に記録された印刷可能な全ての画像のサムネイル画像が一覧表示され、この一覧表示におけるユーザーの設定により印刷する画像の選択、印刷サイズの選択が受け付けられる（図６及び図７）。
【００５０】
このときユーザーにより編集が指示されると、この画像印刷装置１では、ユーザーの選択したサムネイル画像に係るプレビュー画像が表示され、またテンプレートデータベース１６Ａに保持した複数のテンプレートのうちの１つが、このプレビュー画像上に重ねて表示される。またこのプレビュー画像と同時に表示される各種メニューのユーザーによる操作により、このテンプレートの種類、位置、大きさ、太さ、色彩が変更され（図１、図８〜図１３）、このプレビュー画像上にテンプレートを配置した形態によりユーザーにより選択されたサムネイル画像に係る画像が印刷される。
【００５１】
これによりユーザーは、所望する形状、大きさの定規を写真に重ねて線を描いた形態により、所望する画像の印刷結果を得ることができ、これによりこの重ねて印刷されたテンプレートにより印刷物を切り取って簡易に所望する形状に写真を切り取ることができる。
【００５２】
またこのようにして得られる印刷物による写真は、プレビュー画像上でテンプレートを重ねて表示して、このテンプレートの位置を種々に変更し、所望の大きさに設定したものであることにより、所望する大きさにより切り取ることができ、これにより定規を用いて写真を切り取る場合のような、定規と写真の大きさに係る不整合を簡易かつ確実に解消することができ、その分、簡易に意図するデザインによりスクラップブックを作成することができ、一段とスクラップブッキングの楽しみを向上することができる。
【００５３】
ところで定規を用いて写真を切り出す場合には、写真に定規を重ねて切り取り線を描いた後、この切り取り線で写真を切り取ることにより、余程注意して写真を切り取らなければ、切り取り線が残ってしまい、この残った切り取り線によりスクラップブックの仕上がりが悪くなる。
【００５４】
これに対してこの実施例では、テンプレートの色彩、太さを種々に設定できることにより、テンプレートの太さを太くして印刷した後、このテンプレートが一定幅により残るように、写真を切り取るようにすれば、切り取った写真と台紙との間に配置するマットを一体に印刷した状態で、さらにはこのマットと同一の色彩により縁取りした状態で、写真を切り出すことができる。これにより見た目上、切り取り線が残らないようにすることができ、その分、スクラップブックの仕上がりを一段と美しくすることができる。なおこのようにテンプレートの太さを太くして一定幅により残るように切り取る場合には、写真を貼り付けるマットを省略することもでき、その分、手作業による楽しみを残しつつ、スクラップブックの作成に要する時間を短くすることができる。
【００５５】
またこのような色彩の設定のうちの１つが、テンプレートと重なり合うプレビュー画像の各画素値を強調するようにして設定され、この場合は、細線によりテンプレートを印刷してこのテンプレートにより切り取るようにしても、切り取り線の残りを目立たなくすることができ、これによってもスクラップブックの仕上がりを一段と美しくすることができる。
【００５６】
またこのようにしてテンプレートを基準に写真を切り取ることにより、切り取った残りを、他スクラップブック作成用の素材としても利用することができる。
【００５７】
しかしてこの実施例に係る画像印刷装置１は、スキャナ５によりこのような処理に係るテンプレートを画像により読み込んで登録できることにより、必要に応じて簡易にテンプレートを補充して使い勝手を向上することができる。
【００５８】
これに対してこのようにテンプレートの大きさ、位置、色彩、太さを種々に変更して、ユーザーがキャンセルのメニューを操作すると、これら一連の設定がキャンセルされて、元のサムネイル画像の一覧が表示される。
【００５９】
この場合、ユーザーにおいては、プレビュー画像上にテンプレートを配置してテンプレートにより画像を切り出した状態を検討しながら、印刷する画像、印刷サイズを選択することができ、これにより定規と写真の大きさとが著しく不一致の画像については、印刷サイズを変更して、さらには別の同種の写真の印刷を指示してこのような不一致の解消を図ることができ、これによりこの場合も、スクラップブッキングに適用して、定規と写真の大きさに係る不整合を簡易かつ確実に解消することができる。
【００６０】
（３）実施例の効果
以上の構成によれば、ユーザーにより選択されたテンプレートを処理対象の画像上に重ねて表示し、この表示における画像とテンプレートとの相対的な位置、テンプレートの大きさの変更を受け付けて印刷することにより、スクラップブッキングに適用して、定規と写真の大きさに係る不整合を簡易かつ確実に解消することができる。
【００６１】
またこのようにして重ねた表示により写真を印刷することにより、ユーザーは、定規を用いて切り取り線を描かなくても、所望する形状に写真を切り取ることができ、その分、使い勝手を向上することができる。また種々の大きさの定規を用意しなくても、種々の大きさにより写真を切り取ることができ、これによっても使い勝手を向上することができる。
【００６２】
またこのテンプレートの色彩、太さの設定を受け付けることにより、切り取り時にテンプレートが残った場合でも、この残ったテンプレートを目立たなくすることができ、また装飾として利用することができ、その分、スクラップブックの仕上がりを向上することができる。
【実施例２】
【００６３】
この実施例に係る画像印刷装置は、テンプレートに代えて、画像側を拡大縮小して写真を印刷する。なおこの実施例に係る画像印刷装置は、この画像側の拡大縮小に関連する制御部の構成が異なる点を除いて、実施例１に係る画像印刷装置１と同一に構成されることにより、以下においては、図２、図３等について上述した画像印刷装置１の構成を流用して説明する。
【００６４】
ここで図１５は、この実施例に係る画像印刷装置におけるプレビュー画像の表示を示す平面図である。この実施例に係る画像印刷装置の制御部１１は、サムネイル画像の一覧表示においてサムネイル画像が選択された後、編集のメニューが選択されると、この表示画面を表示する。ここでこの表示画面は、プレビュー画像３１が表示され、このプレビュー画像３１の上にテンプレート３２が表示される。また下端に沿って、トップメニュー画面に戻る「Ｔｏｐ  Ｍｅｎｕ」のメニュー、プレビュー画像３１により表示する画像の切り換えを指示するメニュー、テンプレートの一覧表示を指示する「テンプレート」のメニュー、印刷を指示する「Ｐｒｉｎｔ」のメニューが表示される。
【００６５】
制御部１１は、テンプレートの一覧表示を指示する「テンプレート」のメニューが選択されると、テンプレートデータベース１６Ａに記録されたテンプレートの一覧表示にこの画像表示部４の表示を切り換え、この一覧表示におけるテンプレートの選択を検出する。またこの選択により一覧表示を中止し、プレビュー画像３１上に表示されたテンプレート３２の表示を、一覧表示によりユーザーが選択したテンプレートの表示に切り換える。
【００６６】
またこの表示画面は、右側端に沿って、ヘルプ画面の表示を指示する「Ｈｅｌｐ」のメニュー、印刷枚数を増減させる「＋」及び「−」のメニューが表示され、テンプレート３２に対するプレビュー画像３１を種々に変更するメニュー３３が表示される。ここでこのメニュー３３は、中央に、プレビュー画像３１の縮小を指示する円形形状によるメニューと、プレビュー画像３１の拡大を指示するこの円形形状のメニューを囲むリング形状のメニューとが配置される。制御部１１は、この縮小、拡大のメニューの操作に応動して、図１５との対比により図１６及び図１７に示すように、プレビュー画像３１の表示を縮小及び拡大する。
【００６７】
またメニュー３３は、リング形状によるメニューの周囲、上下左右に、それぞれプレビュー画像３１の表示位置の上下左右方向への変更を指示する三角形形状のメニューが表示される。制御部１１は、図１７との対比により図１８に示すように、これら位置の変更を指示するメニューの操作に応動してプレビュー画像３１の表示位置を対応する方向に移動させる。
【００６８】
これに対して印刷が指示されると、テンプレートを重ねて印刷するか否かのメニュー画面を表示し、ユーザーがテンプレートの重ねた印刷を指示しない場合には、このようにして拡大、縮小、表示位置を変更した状態により指示に係る画像を印刷する。これによりこの実施例では、ユーザーが定規により切り取り線を描いて所望する画像を切り取る際に、この定規に対する写真の大きさの不整合を簡易かつ確実に解消する。なおこれによりテンプレートデータベース１６Ａには、市販の定規による大きさ、形状のテンプレートが登録されていることになる。
【００６９】
これに対してユーザーがテンプレートを重ねた印刷を指示した場合、さらに実施例１について上述したように、テンプレートの色、太さの設定を受け付け、この受け付けた内容によりプレビュー画像３１を印刷する。これによりこの場合、切り取り線を目立たないようにして、市販の定規により切り取り線を描いて所望する画像を切り取った場合と同様に所望する画像を切り取ることができ、この場合は、定規により画像を切り取った場合に提供されるマット等の種々のパーツを利用してスクラックブックを作成することができる。
【００７０】
この実施例２に係る構成によれば、画像に対するテンプレートの位置、大きさの変更に代えて、テンプレートに対して画像の位置、大きさを変化させるようにしても、実施例１と同様の効果を得ることができる。
【実施例３】
【００７１】
図１９は、本発明の実施例３に係る画像印刷装置におけるテンプレートの設定表示を示す平面図である。この実施例に係る画像印刷装置は、ユーザーにより指示された個数だけ、テンプレートＴＰ１〜ＴＰ３をプレビュー画面上で重ねて表示する。またこれらテンプレートＴＰ１〜ＴＰ３の位置、大きさの設定を受け付ける。またこれらテンプレートＴＰ１〜ＴＰ３の太さ、色彩の設定に代えて、内側に配置されたテンプレートと外側に配置されたテンプレートとの間の領域の色彩について、ユーザーによる設定を受け付ける。これによりこの図１９に示す例では、テンプレートＴＰ１とテンプレートＴＰ２との間の領域、テンプレートＴＰ２とテンプレートＴＰ３との間の領域について、ユーザーによる色彩の設定を受け付ける。またこの設定された色彩に対応するテンプレートの色彩を変更する。
【００７２】
この実施例に係る画像印刷装置は、このような設定に従って、ユーザーによる指示により、プレビュー画像上にこれらテンプレートＴＰ１〜ＴＰ３を重ねて表示した状態による画像を印刷する。また最も外側のテンプレートＴＰ１により切り取られる個所に、この写真に係る情報を印刷し、この実施例では、この情報に印刷の日付が適用される。この実施例に係る画像印刷装置は、このテンプレートに係る処理が異なる点を除いて、実施例１又は実施例２について上述した画像印刷装置と同一に構成される。
【００７３】
この実施例では、複数のテンプレートを重ねて表示して印刷することにより、一段と画像を装飾して切り出すことができ、また切り出した画像の下に配置するマットを省略することもでき、これらにより一段と使い勝手を向上することができる。
【００７４】
また切り取られる個所に、写真に係る情報を印刷することにより、スクラップブッキングの作業における写真の管理に関して、利便を図ることができる。
【実施例４】
【００７５】
この実施例に係る画像印刷装置は、裏面に切り取り線を印刷した用紙に、画像を印刷する。図２０は、この印刷に供する用紙の裏面を示す平面図である。この用紙には、複数のテンプレートに係る切り取り線が事前に印刷されて、この実施例に係る画像印刷装置に提供される。
【００７６】
この実施例に係る画像印刷装置は、このような裏面に切り取り線が印刷された複数種類の用紙を保持し、ユーザーによるテンプレートの選択により、対応する切り取り線が印刷された用紙により写真を印刷する。
【００７７】
また実施例２に係る画像印刷装置と同様にして、このようにして用紙を選択して印刷する前に、この裏面に表示された切り取り線に対応するテンプレートをプレビュー画像上で表示し、テンプレートに対するプレビュー画像の位置の変更、大きさの変更を受け付け、このプレビュー画像の表示におけるテンプレートとプレビュー画像との相対的な位置関係、大きさの関係が、用紙の裏面に印刷された対応する切り取り線と、用紙の表面に印刷される画像との相対的な位置関係、大きさの関係となるように、対応する切り取り線が印刷された用紙により写真を印刷する。なおこの場合、画像印刷装置は、テンプレートについては、印刷しないように設定される。
【００７８】
これによりこの実施例では、裏面に切り取り線が印刷された用紙に画像を印刷する場合でも、スクラップブッキングに適用して、定規に対応する裏面の切り取り線と写真の大きさに係る不整合を簡易かつ確実に解消することができる。
【実施例５】
【００７９】
図２１は、本発明の実施例５の画像印刷装置を示すブロック図である。この画像印刷装置４１は、画像を印刷した後、印刷面を透明フィルムで被覆し、これにより印刷面に透明保護層を形成する。画像印刷装置４１は、この透明フィルムを加熱して局所的にこの透明フィルムの光沢を変化させ、これにより他の部位との光沢の相違により目視可能に、保護層表面にテンプレートを印刷する。
【００８０】
すなわち画像を印刷した側にテンプレートを印刷すれば、このテンプレートの印刷に従って写真を切り取ることができ、便利である。しかしながら単にインクの付着によりテンプレートを印刷する場合には、切り取った写真にテンプレートの印刷が部分的に残ってしまう場合があり、この残ったテンプレートによりスクラップブックの仕上がりが悪くなる。
【００８１】
しかしながらこの実施例のように、他の部位との光沢の相違により目視可能に、保護層表面にテンプレートを印刷すれば、例えテンプレートが切り取った写真に残っている場合でも、何ら気付かないようにすることができ、スクラップブッグの仕上がりを美しいものにすることができる。
【００８２】
実際上、この種の保護層を形成する透明フィルムとしては、いわゆるラミネートフィルムを適用することができ、このラミネートフィルムは、保護対象の表面を被覆する際の加熱の温度を可変することにより、簡易に、表面の光沢を変化させることができる。またこの表面の光沢の変化は、正面から見た場合には、極めて見つけ難く、斜めから見ると目立つ特徴がある。これによりこの実施例では、切り取り時には目立つようにテンプレートを印刷して、このテンプレートの印刷が部分的に残ってしまった場合でも目立たないようにすることができる。
【００８３】
またこのようなラミネートフィルムで保護層を形成する構成は、従来、熱転写方式のプリンタに提供されている構成であり、この構成によるラミネートフィルムを被覆するヘッドの駆動条件をテンプレートの形状に応じて切り換えるだけで、テンプレートの形状で光沢の有無を形成することができ、これにより簡易な構成で切り取った写真の仕上がりを美しくすることができる。
【００８４】
なおこの実施例の画像印刷装置４１は、このテンプレートの印刷に関する点を除いて、上述の各実施例と同様のユーザーインターフェースによりテンプレートの選択、画像、テンプレートの大きさの設定を受け付ける。
【００８５】
すなわちこの画像印刷装置４１において、インターフェース部４２は、画像印刷装置１のメディアインターフェース１３に対応する構成であり、中央処理ユニット４３の制御により記録媒体の挿入口に挿入された各種記録媒体から画像データ等を取得して出力する。
【００８６】
ＪＰＥＧ（Joint Photographic Experts Group）解凍部４４は、中央処理ユニット４３の制御により、インターフェース部４２から入力される画像データがデータ圧縮されている場合、画像データをデータ伸長した後、ＲＧＢの色データに変換してＲＧＢサイズ変換部４５に出力する。これに対してインターフェース部４２から入力される画像データがデータ圧縮されていない場合、インターフェース部４２から入力される画像データを何ら処理することなく、ＲＧＢサイズ変換部４５に出力する。
【００８７】
ＲＧＢサイズ変換部４５は、中央処理ユニット４３の制御により、ＪＰＥＧ解凍部４４から入力される画像データの解像度を変換して画像データのサイズを変更し、さらに色調を補正して出力する。
【００８８】
画像メモリ４６は、中央処理ユニット４３の制御により、このＲＧＢサイズ変換部４５から出力される画像データ、中央処理ユニット４３から出力されるテンプレートの画像データを一時格納して保持し、ＹＭＣγ変換部４７に出力する。
【００８９】
ＹＭＣγ変換部４７は、画像メモリ４６から出力される画像データを印刷に適した補色系の色データに変換し、またγを補正して出力する。なおＹＭＣγ変換部４７は、画像メモリ４６から出力されるテンプレートの画像データについては、何ら処理することなく、印刷部４８に出力する。
【００９０】
印刷部４８は、画像印刷装置１の印刷部１５に対応する構成であり、熱転写方式により、ＹＭＣγ変換部４７から出力される画像データを所定の用紙に印刷した後、印刷面をラミネートフィルムで被覆する。またラミネートフィルムの加熱の温度をＹＭＣγ変換部４７から出力されるテンプレートの画像データに応じて可変し、局所的にラミネートフィルムの光沢を変化させてテンプレートを印刷する。
【００９１】
すなわち印刷部４８において、印画紙の給排紙・搬送機構４９は、印刷対象の用紙である印画紙を搬送して排出し、リボン・フィルム送り機構５０は、印画紙の給排紙・搬送機構４９による印画紙の搬送に対応するように、熱転写印刷用のリボン、ラミネートフィルムを搬送する。駆動制御部５１は、中央処理ユニット４３の制御により、これら印画紙の給排紙・搬送機構４９、リボン・フィルム送り機構５０の動作を制御する。
【００９２】
ＰＷＭ処理回路５２は、ＹＭＣγ変換部４７から出力される画像データに応じてパルス幅変調信号を生成して出力する。転写ヘッド５３は、このパルス幅変調信号に応じてリボン・フィルム送り機構５０により搬送される熱転写印刷用のリボンを加熱し、印画紙に画像を印刷する。またリボン・フィルム送り機構５０によりこの印画紙の印刷面にラミネートフィルムが積層されると、このラミネートフィルムを加熱して印刷面をラミネートフィルムで被覆する。このときテンプレートの画像データに応じて加熱の温度を可変し、局所的にラミネートフィルムの光沢を変化させてテンプレートを印刷する。
【００９３】
ここでこの実施例では、テンプレートの形状を示す輪郭線の形状で、局所的に、光沢が失われるようにしてテンプレートを印刷する。なおこれとは逆に、輪郭線の形状で光沢が現れるようにしてテンプレートを印刷するようにしてもよい。また図２２に示すように、テンプレートにより切り取られる外周側領域の全てで光沢が失われるようにしてもよく、また図２３に示すように、輪郭線に沿った外周側の一定幅の領域で光沢を失わせるようにしてもよい。なおこの図２２及び図２３では、光沢の失われた領域をハッチングにより示す。
【００９４】
画像表示部５４は、画像印刷装置１の画像表示部４に対応する構成であり、画像印刷装置１で上述した各種グラフィカルユーザーインターフェースを表示する。
【００９５】
入力／選択部５５は、画像印刷装置１のタッチパネル１２に対応する構成であり、各種ユーザーの操作を検出して中央処理ユニット４３に通知する。
【００９６】
リードオンリメモリ（ＲＯＭ）５６は、画像印刷装置１のハードディスク装置１６に対応する構成であり、中央処理ユニット４３の処理プログラム、テンプレートデータベースを保持する。
【００９７】
中央処理ユニット４３は、リードオンリメモリ５６、図示しないランダムアクセスメモリと共に制御部を構成する。なおここでこの制御部は、画像印刷装置１の制御部１１に対応する構成である。これにより中央処理ユニット４３は、図１の処理手順を実行して、図４〜図１８について上述した各種メニュー画面等を画像表示部５４で表示し、各種ユーザーの設定を受け付ける。またこの受け付けた設定に従ってＲＧＢサイズ変換部４５等の動作を制御して印刷サイズの画像データを画像メモリ４６に格納し、また対応するテンプレートの画像データを画像メモリ４６に格納し、この画像データを印刷部４８で印刷する。
【００９８】
この実施例によれば、画像を印刷した後、印刷面を透明フィルムで被覆して保護するようにして、この透明フィルムの光沢を局所的に変化させてテンプレートを印刷することにより、テンプレートで切り取った写真の仕上がりを美しくすることができる。
【実施例６】
【００９９】
なお上述の実施例４においては、裏面に切り取り線が印刷された用紙を画像印刷装置に保持しておき、この用紙に写真を印刷する場合について述べたが、本発明はこれに限らず、裏面に切り取り線が印刷された用紙を別途供給するようにして、この用紙に写真を印刷する場合にも広く適用することができる。なおこの場合、スキャナにより裏面に印刷された切り取り線の画像を取得し、この切り取り線の画像をテンプレートとして使用して上述した一連の処理を実行することにより、定規に対応する裏面の切り取り線と写真の大きさに係る不整合を簡易かつ確実に解消することができる。
【０１００】
また上述の実施例５においては、テンプレートを透明フィルムの表側面に印刷する場合について述べたが、本発明はこれに限らず、例えば図１９について上述したように、テンプレートを複数印刷して写真を装飾する場合にも広く適用することができる。なおこの場合、切り取り線を示す最外周のテンプレートのみ透明フィルムの表側面に印刷するようにして、他のテンプレートは画像データによる画像と共に印画紙上に印刷することになる。
【０１０１】
また上述の実施例においては、事前に登録されたテンプレートにより一連の処理を実行する場合について述べたが、本発明はこれに限らず、別途、ユーザーによる入力によりテンプレートを取得するようにしてもよい。なおこの場合、タッチパネル上におけるユーザーのドラッグの処理により、テンプレートの入力を受け付けること等が考えられる。
【０１０２】
また上述の実施例においては、各ユーザーが選択した画像を１枚ずつ印刷する場合について述べたが、本発明はこれに限らず、いわゆるマルチプリントにより１枚の用紙上にユーザーの選択した画像を複数個連続させて印刷する場合にも広く適用することができる。
【０１０３】
また上述の実施例においては、画像又はテンプレートの何れか一方を拡大、縮小する場合について述べたが、本発明はこれに限らず、これらの双方を拡大、縮小するようにしてもよい。
【０１０４】
また上述の実施例においては、店舗に設置して各種記録媒体によりユーザーが提供する画像を印刷する場合について述べたが、本発明はこれに限らず、例えばネットワークにより提供される画像を印刷する場合、ＵＳＢ（Universal Serial Bus）等のインターフェースにより直接電子スチルカメラ等の撮像装置を接続して画像を印刷する場合等にも広く適用することができる。
【０１０５】
さらに上述の実施例においては、写真を印刷する専用装置に本発明を適用する場合について述べたが、本発明はこれに限らず、例えばコンピュータにより実行可能に印刷、画像編集に係るプログラムに適用する場合、さらにはコンピュータ等に接続して使用されるプリンタのアプリケーションに適用する場合等、写真を印刷する種々の装置に広く適用することができる。
【産業上の利用可能性】
【０１０６】
本発明は、特にスクラップブッキングに使用する画像の印刷に適用することができる。
【図面の簡単な説明】
【０１０７】
【図１】本発明の実施例１に係る画像印刷装置における制御部の処理手順を示すフローチャートである。
【図２】本発明の実施例１に係る画像印刷装置を示す斜視図である。
【図３】図２の画像印刷装置のブロック図である。
【図４】図２の画像印刷装置における記録媒体の選択画面を示す平面図である。
【図５】図２の画像印刷装置における処理の選択画面を示す平面図である。
【図６】図２の画像印刷装置における画像選択画面を示す平面図である。
【図７】図６の画像選択画面の説明に供する平面図である。
【図８】図６の画像選択画面における「編集／拡大」のメニューの選択による表示画面を示す平面図である。
【図９】図８の表示画面におけるテンプレートの切り換えの説明に供する平面図である。
【図１０】図８の表示画面におけるテンプレートの太さの変更の説明に供する平面図である。
【図１１】図８の表示画面におけるテンプレートの色彩の変更の説明に供する平面図である。
【図１２】図８の表示画面におけるテンプレートの大きさの変更の説明に供する平面図である。
【図１３】図８の表示画面におけるテンプレートの移動の変更の説明に供する平面図である。
【図１４】課金処理に係る表示画面を示す平面図である。
【図１５】本発明の実施例２に係る画像印刷装置における表示画面を示す平面図である。
【図１６】図１４の表示画面における画像の縮小の説明に供する平面図である。
【図１７】図１４の表示画面における画像の拡大の説明に供する平面図である。
【図１８】図１４の表示画面における画像の移動の説明に供する平面図である。
【図１９】本発明の実施例３に係る画像印刷装置における表示画面を示す平面図である。
【図２０】本発明の実施例４に係る画像印刷装置に適用される用紙の裏面を示す平面図である。
【図２１】本発明の実施例５に係る画像印刷装置を示すブロック図である。
【図２２】図２１の画像印刷装置による写真の説明に供する平面図である。
【図２３】図２２とは異なる例を示す平面図である。
【符号の説明】
【０１０８】
１、４１……画像印刷装置、４、５３……画像表示部、１１……制御部、１５、４８……印刷部、１６……ハードディスク装置、１６Ａ……テンプレートデータベース
【図１】
2007125875.tif 000003
【図２】
2007125875.tif 000004
【図３】
2007125875.tif 000005
【図４】
2007125875.tif 000006
【図５】
2007125875.tif 000007
【図６】
2007125875.tif 000008
【図７】
2007125875.tif 000009
【図８】
2007125875.tif 000010
【図９】
2007125875.tif 000011
【図１０】
2007125875.tif 000012
【図１１】
2007125875.tif 000013
【図１２】
2007125875.tif 000014
【図１３】
2007125875.tif 000015
【図１４】
2007125875.tif 000016
【図１５】
2007125875.tif 000017
【図１６】
2007125875.tif 000018
【図１７】
2007125875.tif 000019
【図１８】
2007125875.tif 000020
【図１９】
2007125875.tif 000021
【図２０】
2007125875.tif 000022
【図２１】
2007125875.tif 000023
【図２２】
2007125875.tif 000024
【図２３】
2007125875.tif 000025